(57)【要約】【課題】  保存装置の保存情報の自動再生の構造及びその方法の提供。【解決手段】  第１ＯＳ（オペレーションシステム）と第２ＯＳがインストールされたコンピュータシステムにインストールされて、第２ＯＳの環境で実行され、ユーザーが情報を保存装置に提供する時、検出ユニットが第１ＯＳと第２ＯＳのいずれかにインストールし、該検出ユニットにより該情報のデータ形式とインデックステーブルが記録するデータ形式の対比動作を行い、これにより該情報に対応する再生ユニットを知り、再生ユニットが第１ＯＳの環境内にインストールされていれば、インタフェースユニットを通して変換してそれを第２ＯＳが実行可能な形式となし、これにより該保存装置の保存情報の再生動作を行なう。【選択図】        図２
2005339539.tif 000002
【特許請求の範囲】
【請求項１】
保存装置の保存情報の自動再生の構造において、該構造は、
第１オペレーションシステムと、
第２オペレーションシステムと、
該第１オペレーションシステムのファイルシステム下に保存され、少なくとも一つのデータ形式に対応する再生ユニットを記録したインデックステーブルと、
を具え、該第２オペレーションシステムが第１オペレーションシステムのインデックステーブル情報を共有可能であることを特徴とする、保存装置の保存情報の自動再生の構造。
【請求項２】
請求項１記載の保存装置の保存情報の自動再生の構造において、編集ユニットを更に具え、該編集ユニットは第１オペレーションシステムにおいて実行可能で、インデックステーブルに記録されたデータ形式に対応する再生ユニットの編集動作を提供することを特徴とする、保存装置の保存情報の自動再生の構造。
【請求項３】
請求項２記載の保存装置の保存情報の自動再生の構造において、第２オペレーションシステムがインタフェースユニットを通して該編集ユニットを共有することを特徴とする、保存装置の保存情報の自動再生の構造。
【請求項４】
請求項１記載の保存装置の保存情報の自動再生の構造において、第１オペレーションシステムのシステムリソース消耗が第２オペレーションシステムのシステムリソース消耗より高いことを特徴とする、保存装置の保存情報の自動再生の構造。
【請求項５】
保存装置の保存情報の自動再生の方法において、該方法は、
第１オペレーションシステムと第２オペレーションシステムを提供するステップ、
インデックステーブルを第１オペレーションシステムのファイルシステム下に保存して少なくとも一つのデータ形式に対応する再生ユニットを記録するステップ、
を具え、そのうち、第２オペレーションシステムが第１オペレーションシステムのインデックステーブル情報を共有できることを特徴とする、保存装置の保存情報の自動再生の方法。
【請求項６】
請求項５記載の保存装置の保存情報の自動再生の方法において、インデックステーブルを保存するステップの後、第２オペレーションシステムがインタフェースユニットを通して第１オペレーションシステムの編集ユニットを実行し、インデックステーブルに記録されたデータ形式に対応する再生ユニットの編集動作を行なうことを特徴とする、保存装置の保存情報の自動再生の方法。
【請求項７】
請求項５記載の保存装置の保存情報の自動再生の方法において、第１オペレーションシステムのシステムリソース消耗が第２オペレーションシステムのシステムリソース消耗より高いことを特徴とする、保存装置の保存情報の自動再生の方法。
【請求項８】
保存装置の保存情報の自動再生の構造において、該構造は、
第１オペレーションシステムと、
第２オペレーションシステムと、
情報を保存する保存装置と、
該第１オペレーションシステムのファイルシステム下に保存され、少なくとも一つのデータ形式に対応する再生ユニットを記録したインデックステーブルと、
第１オペレーションシステムの環境下で実行されて該保存装置の提供する保存情報のデータ形式とインデックステーブルの対比動作を行なう検出ユニットと、
を具え、該第２オペレーションシステムがインタフェースユニットを通して該検出ユニットを実行し、対比結果によりインデックステーブルに記録された該保存情報に対応する再生ユニットを実行し、再生動作を行なうことを特徴とする、保存装置の保存情報の自動再生の構造。
【請求項９】
請求項８記載の保存装置の保存情報の自動再生の構造において、ディスクコントロールユニットを更に具え、該ディスクコントロールユニットは保存装置と接続され、保存装置の入出力のアクセス動作の中断信号を発生することを特徴とする、保存装置の保存情報の自動再生の構造。
【請求項１０】
請求項９記載の保存装置の保存情報の自動再生の構造において、ディスクコントロールユニットの発生した中断信号を受け取るＣＰＵを更に具えたことを特徴とする、保存装置の保存情報の自動再生の構造。
【請求項１１】
請求項８記載の保存装置の保存情報の自動再生の構造において、再生ユニットは第１オペレーションシステムの環境で実行可能で、第２オペレーションシステムはインタフェースユニットを通して該再生ユニットを実行でき、これにより保存装置の保存情報の再生動作を行なうことを特徴とする、保存装置の保存情報の自動再生の構造。
【請求項１２】
請求項８記載の保存装置の保存情報の自動再生の構造において、保存装置が外部保存装置とされたことを特徴とする、保存装置の保存情報の自動再生の構造。
【請求項１３】
請求項１２記載の保存装置の保存情報の自動再生の構造において、外部保存装置がＵＳＢハードディスクとされたことを特徴とする、保存装置の保存情報の自動再生の構造。
【請求項１４】
保存装置の保存情報の自動再生の方法において、該方法は、
第１オペレーションシステムと第２オペレーションシステムを提供するステップ、
保存装置に情報を保存するステップ、
インデックステーブルを第１オペレーションシステムのファイルシステム下に保存して少なくとも一つのデータ形式に対応する再生ユニットを記録するステップ、
検出ユニットを第１オペレーションシステムの環境下に提供し、該保存装置が提供する保存情報のデータ形式を該インデックステーブルと対比するステップ、
を具え、そのうち、第２オペレーションシステムがインタフェースユニットを通して該検出ユニットを実行でき、対比結果によりインデックステーブルに記録された保存情報に対応する再生ユニットを実行し、再生動作を行なうことを特徴とする、保存装置の保存情報の自動再生の方法。
【請求項１５】
請求項１４記載の保存装置の保存情報の自動再生の方法において、保存装置に情報を提供するステップの後、該保存装置と接続されたディスクコントロールユニットを提供し、該保存装置の入出力のアクセス動作の中断信号を発生させるステップを具えたことを特徴とする、保存装置の保存情報の自動再生の方法。
【請求項１６】
請求項１５記載の保存装置の保存情報の自動再生の方法において、ディスクコントロールユニットに中断信号を発生させるステップの後、ＣＰＵを提供してディスクコントロールユニットの発生した中断信号を受け取らせるステップを具えたことを特徴とする、保存装置の保存情報の自動再生の方法。
【請求項１７】
請求項１４記載の保存装置の保存情報の自動再生の方法において、再生ユニットが第１オペレーションシステムの環境にインストールされている時、第２オペレーションシステムはインタフェースユニットを通して再生ユニットを実行して保存装置の保存情報の再生動作を行なうことを特徴とする、保存装置の保存情報の自動再生の方法。
【請求項１８】
保存装置の保存情報の自動再生の構造において、該構造は、
第１オペレーションシステムと、
第２オペレーションシステムと、
デジタル情報を保存した保存装置と、
該第１オペレーションシステムのファイルシステム下に保存されて少なくとも一つのデータ形式に対応する再生ユニットを記録したインデックステーブルと、
第２オペレーションシステムの環境下で実行されて該保存装置の提供する保存情報のデータ形式を該インデックステーブルと対比する検出ユニットと、
を具え、そのうち第２オペレーションシステムが該検出ユニットの対比結果により該保存情報に対応する再生ユニットを実行して再生動作を行なうことを特徴とする、保存装置の保存情報の自動再生の構造。
【請求項１９】
請求項１８記載の保存装置の保存情報の自動再生の構造において、ディスクコントロールユニットを更に具え、該ディスクコントロールユニットは保存装置と接続され、保存装置の入出力のアクセス動作の中断信号を発生することを特徴とする、保存装置の保存情報の自動再生の構造。
【請求項２０】
請求項１９記載の保存装置の保存情報の自動再生の構造において、ディスクコントロールユニットの発生した中断信号を受け取るＣＰＵを更に具えたことを特徴とする、保存装置の保存情報の自動再生の構造。
【請求項２１】
請求項１８記載の保存装置の保存情報の自動再生の構造において、再生ユニットは第１オペレーションシステムの環境で実行可能で、第２オペレーションシステムはインタフェースユニットを通して該再生ユニットを実行でき、これにより保存装置の保存情報の再生動作を行なうことを特徴とする、保存装置の保存情報の自動再生の構造。
【請求項２２】
保存装置の保存情報の自動再生の方法において、該方法は、
第１オペレーションシステムと第２オペレーションシステムを提供するステップ、
保存装置に情報を保存するステップ、
インデックステーブルを第１オペレーションシステムのファイルシステム下に保存して少なくとも一つのデータ形式に対応する再生ユニットを記録するステップ、
検出ユニットを第２オペレーションシステムの環境下に提供し、該保存装置が提供する保存情報のデータ形式を該インデックステーブルと対比するステップ、
を具え、そのうち、第２オペレーションシステムが検出ユニットの対比結果によりインデックステーブルに記録された保存情報に対応する再生ユニットを実行し、再生動作を行なうことを特徴とする、保存装置の保存情報の自動再生の方法。
【請求項２３】
請求項２２記載の保存装置の保存情報の自動再生の方法において、保存装置に情報を提供するステップの後、該保存装置と接続されたディスクコントロールユニットを提供し、該保存装置の入出力のアクセス動作の中断信号を発生させるステップを具えたことを特徴とする、保存装置の保存情報の自動再生の方法。
【請求項２４】
請求項２３記載の保存装置の保存情報の自動再生の方法において、ディスクコントロールユニットに中断信号を発生させるステップの後、ＣＰＵを提供してディスクコントロールユニットの発生した中断信号を受け取らせるステップを具えたことを特徴とする、保存装置の保存情報の自動再生の方法。
【請求項２５】
請求項２２記載の保存装置の保存情報の自動再生の方法において、再生ユニットが第１オペレーションシステムの環境にインストールされている時、第２オペレーションシステムはインタフェースユニットを通して再生ユニットを実行して保存装置の保存情報の再生動作を行なうことを特徴とする、保存装置の保存情報の自動再生の方法。
【発明の詳細な説明】
【技術分野】
【０００１】
本発明は一種の保存装置の保存情報の自動再生の構造及びその方法に係り、特に外部保存装置の保存情報を自動検出して再生動作を行なうものに関する。
【背景技術】
【０００２】
近年、生活水準の不断の上昇、生活の効率化に伴い、人々の習慣もスピードアップし、より便利な生活方式に向かっている。情報テクノロジーもこのような潮流に伴い、人々の要求に合わせてコンピュータの効率が改善され続けている。情報とネットワークテクノロジーの進歩により、コンピュータシステムは多機能が一体に結合され、デジタルコンテンツの提供を通して、人々はコンピュータとネットワークによりレジャー活動を行なえるようになり、最もよく見られるレジャー行為はコンピュータを使用してビデオデータとオーディオデータを視聴することである。
【０００３】
コンピュータの発展以来、早期のコンピュータはユーザーが提供する保存装置のオーディオデータを再生できるだけであり、人々がコンピュータでビデオデータを観たい時には、ビデオデータ用のアプリケーションプログラムを起動しなければならず、更に該アプリケーションプログラムによりＣＤ内のビデオデータを読み取り、再生を実行しなければならない。しかしこのような方式は現在の情報発達の社会では既にユーザーの要求に合わないものとなっている。
【０００４】
ユーザーの煩雑な操作手続きを減らすため、マイクロソフト（登録商標）社はＷｉｎｄｏｗｓ（登録商標）ＸＰのオペレーションシステムにあって自動再生メニュー機能を開発し、ユーザーが提供するビデオデータが保存装置に保存される時、オペレーションシステムは自動的にＷｉｎｄｏｗｓ（登録商標）Ｍｅｄｉａ  Ｐｌａｙｅｒ（登録商標）により自動再生する。
【０００５】
Ｗｉｎｄｏｗｓ（登録商標）ＸＰは自動再生メニュー機能を提供するが、Ｗｉｎｄｏｗｓ（登録商標）ＸＰオペレーションシステムをＬｉｎｕｘ（登録商標）と比較すると、Ｗｉｎｄｏｗｓ（登録商標）ＸＰはシステム負荷が比較的大きいコンピュータシステムであり、これによりユーザーがコンピュータを利用して保存装置の情報を自動再生する時には、長いコンピュータ起動時間を待たねばならない。このほか、ソースの重複インストールを節約するため、如何にＬｉｎｕｘ（登録商標）とＷｉｎｄｏｗｓ（登録商標）オペレーションシステムをインストールしたコンピュータシステムに共有させるかが、思考しなければならないポイントの一つとなっている。
【０００６】
近年の情報テクノロジーの不断の向上により、現在のビデオデータとオーディオデータの自動再生のほか、将来的には更に多くのデジタルデータ例えばイメージファイルデータ等の自動再生が開発されると思われ、このため、如何に保存装置の保存情報の自動再生の構造と方法を提供し且つシステムリソース負荷の低いオペレーションシステムにシステムリソース負荷の高いオペレーションシステムのアプリケーションプログラムを共有させて、アプリケーションプログラムの二つのオペレーションシステムへの重複インストールを減らし、スペースの浪費を節約すると共に起動待機時間を減らすかが、現在重視され思考されるべき課題となっている。
【０００７】
このため、上述の課題に対して、如何に保存装置の保存情報の自動再生の構造及びその方法を提供して、伝統的な保存装置を自動検出して再生を行なえない欠点を改善するのみならず、ユーザーの煩雑な操作ステップを減らすかが、長きにわたりユーザーの切実な希望及び本発明者の考えるところであった。
【発明の開示】
【発明が解決しようとする課題】
【０００８】
本発明の主要な目的は、一種の保存装置の保存情報の自動再生の構造及びその方法を提供することにあり、それによると、コンピュータシステムにシステムリソース消耗の高い第１オペレーションシステムと、システムリソース消耗の低い第２オペレーションシステムがインストールされ、それは第２オペレーションシステム下で保存情報を自動検出して再生動作を実行し、検出ユニットにより保存装置の保存情報のデータ形式とインデックステーブルとを対比し、該保存情報に対応する再生ユニットを知り、該再生ユニットを実行して保存装置の保存情報を再生する。
【０００９】
本発明の次の目的は、ユーザーの便利性を提供することにあり、ユーザーは入力ユニット、例えばリモートコントローラーで該コンピュータシステム起動の命令を下してコンピュータ起動後に、ユーザーが情報を保存装置に提供した後、該コンピュータシステムが即時該保存装置の保存情報のデータ形式を自動検出し、更にそれに対応する再生ユニットを利用して再生し、これによりユーザーが該保存装置の保存情報を実行する煩瑣なステップを減らし、即ち保存装置の情報の自動再生の目的を達成する。
【００１０】
本発明の更なる目的は、ユーザーの要求を満足させることにあり、ユーザーの再生ユニット使用の要求の変化に基づき、ＣＰＵを通して編集ユニットにインデックステーブル編集命令を下し、該編集ユニットが該インデックステーブル編集命令により該インデックステーブルに記録されたデータ形式に対応する再生ユニットに対して調整動作を行い、これによりデータ形式に対応する再生ユニットを変換する。
【００１１】
本発明のまた別の目的は、保存空間を節約することにあり、第２オペレーションシステムに第１オペレーションシステムの検出ユニットと再生ユニットを共有させて、保存空間を有効に節約する。
【００１２】
本発明のまた別の目的は、節電機能を提供することにあり、システム負荷の低い第２オペレーションシステム起動後に、検出ユニットと再生ユニットが使用するシステムリソースのみを起動することで、システムリソースの消耗を有効に節約する。
【課題を解決するための手段】
【００１３】
請求項１の発明は、保存装置の保存情報の自動再生の構造において、該構造は、
第１オペレーションシステムと、
第２オペレーションシステムと、
該第１オペレーションシステムのファイルシステム下に保存され、少なくとも一つのデータ形式に対応する再生ユニットを記録したインデックステーブルと、
を具え、該第２オペレーションシステムが第１オペレーションシステムのインデックステーブル情報を共有可能であることを特徴とする、保存装置の保存情報の自動再生の構造としている。
請求項２の発明は、請求項１記載の保存装置の保存情報の自動再生の構造において、編集ユニットを更に具え、該編集ユニットは第１オペレーションシステムにおいて実行可能で、インデックステーブルに記録されたデータ形式に対応する再生ユニットの編集動作を提供することを特徴とする、保存装置の保存情報の自動再生の構造としている。
請求項３の発明は、請求項２記載の保存装置の保存情報の自動再生の構造において、第２オペレーションシステムがインタフェースユニットを通して該編集ユニットを共有することを特徴とする、保存装置の保存情報の自動再生の構造としている。
請求項４の発明は、請求項１記載の保存装置の保存情報の自動再生の構造において、第１オペレーションシステムのシステムリソース消耗が第２オペレーションシステムのシステムリソース消耗より高いことを特徴とする、保存装置の保存情報の自動再生の構造としている。
請求項５の発明は、保存装置の保存情報の自動再生の方法において、該方法は、
第１オペレーションシステムと第２オペレーションシステムを提供するステップ、
インデックステーブルを第１オペレーションシステムのファイルシステム下に保存して少なくとも一つのデータ形式に対応する再生ユニットを記録するステップ、
を具え、そのうち、第２オペレーションシステムが第１オペレーションシステムのインデックステーブル情報を共有できることを特徴とする、保存装置の保存情報の自動再生の方法としている。
請求項６の発明は、請求項５記載の保存装置の保存情報の自動再生の方法において、インデックステーブルを保存するステップの後、第２オペレーションシステムがインタフェースユニットを通して第１オペレーションシステムの編集ユニットを実行し、インデックステーブルに記録されたデータ形式に対応する再生ユニットの編集動作を行なうことを特徴とする、保存装置の保存情報の自動再生の方法としている。
請求項７の発明は、請求項５記載の保存装置の保存情報の自動再生の方法において、第１オペレーションシステムのシステムリソース消耗が第２オペレーションシステムのシステムリソース消耗より高いことを特徴とする、保存装置の保存情報の自動再生の方法としている。
請求項８の発明は、保存装置の保存情報の自動再生の構造において、該構造は、
第１オペレーションシステムと、
第２オペレーションシステムと、
情報を保存する保存装置と、
該第１オペレーションシステムのファイルシステム下に保存され、少なくとも一つのデータ形式に対応する再生ユニットを記録したインデックステーブルと、
第１オペレーションシステムの環境下で実行されて該保存装置の提供する保存情報のデータ形式とインデックステーブルの対比動作を行なう検出ユニットと、
を具え、該第２オペレーションシステムがインタフェースユニットを通して該検出ユニットを実行し、対比結果によりインデックステーブルに記録された該保存情報に対応する再生ユニットを実行し、再生動作を行なうことを特徴とする、保存装置の保存情報の自動再生の構造としている。
請求項９の発明は、請求項８記載の保存装置の保存情報の自動再生の構造において、ディスクコントロールユニットを更に具え、該ディスクコントロールユニットは保存装置と接続され、保存装置の入出力のアクセス動作の中断信号を発生することを特徴とする、保存装置の保存情報の自動再生の構造としている。
請求項１０の発明は、請求項９記載の保存装置の保存情報の自動再生の構造において、ディスクコントロールユニットの発生した中断信号を受け取るＣＰＵを更に具えたことを特徴とする、保存装置の保存情報の自動再生の構造としている。
請求項１１の発明は、請求項８記載の保存装置の保存情報の自動再生の構造において、再生ユニットは第１オペレーションシステムの環境で実行可能で、第２オペレーションシステムはインタフェースユニットを通して該再生ユニットを実行でき、これにより保存装置の保存情報の再生動作を行なうことを特徴とする、保存装置の保存情報の自動再生の構造としている。
請求項１２の発明は、請求項８記載の保存装置の保存情報の自動再生の構造において、保存装置が外部保存装置とされたことを特徴とする、保存装置の保存情報の自動再生の構造としている。
請求項１３の発明は、請求項１２記載の保存装置の保存情報の自動再生の構造において、外部保存装置がＵＳＢハードディスクとされたことを特徴とする、保存装置の保存情報の自動再生の構造としている。
請求項１４の発明は、保存装置の保存情報の自動再生の方法において、該方法は、
第１オペレーションシステムと第２オペレーションシステムを提供するステップ、
保存装置に情報を保存するステップ、
インデックステーブルを第１オペレーションシステムのファイルシステム下に保存して少なくとも一つのデータ形式に対応する再生ユニットを記録するステップ、
検出ユニットを第１オペレーションシステムの環境下に提供し、該保存装置が提供する保存情報のデータ形式を該インデックステーブルと対比するステップ、
を具え、そのうち、第２オペレーションシステムがインタフェースユニットを通して該検出ユニットを実行でき、対比結果によりインデックステーブルに記録された保存情報に対応する再生ユニットを実行し、再生動作を行なうことを特徴とする、保存装置の保存情報の自動再生の方法としている。
請求項１５の発明は、請求項１４記載の保存装置の保存情報の自動再生の方法において、保存装置に情報を提供するステップの後、該保存装置と接続されたディスクコントロールユニットを提供し、該保存装置の入出力のアクセス動作の中断信号を発生させるステップを具えたことを特徴とする、保存装置の保存情報の自動再生の方法としている。
請求項１６の発明は、請求項１５記載の保存装置の保存情報の自動再生の方法において、ディスクコントロールユニットに中断信号を発生させるステップの後、ＣＰＵを提供してディスクコントロールユニットの発生した中断信号を受け取らせるステップを具えたことを特徴とする、保存装置の保存情報の自動再生の方法としている。
請求項１７の発明は、請求項１４記載の保存装置の保存情報の自動再生の方法において、再生ユニットが第１オペレーションシステムの環境にインストールされている時、第２オペレーションシステムはインタフェースユニットを通して再生ユニットを実行して保存装置の保存情報の再生動作を行なうことを特徴とする、保存装置の保存情報の自動再生の方法としている。
請求項１８の発明は、保存装置の保存情報の自動再生の構造において、該構造は、
第１オペレーションシステムと、
第２オペレーションシステムと、
デジタル情報を保存した保存装置と、
該第１オペレーションシステムのファイルシステム下に保存されて少なくとも一つのデータ形式に対応する再生ユニットを記録したインデックステーブルと、
第２オペレーションシステムの環境下で実行されて該保存装置の提供する保存情報のデータ形式を該インデックステーブルと対比する検出ユニットと、
を具え、そのうち第２オペレーションシステムが該検出ユニットの対比結果により該保存情報に対応する再生ユニットを実行して再生動作を行なうことを特徴とする、保存装置の保存情報の自動再生の構造としている。
請求項１９の発明は、請求項１８記載の保存装置の保存情報の自動再生の構造において、ディスクコントロールユニットを更に具え、該ディスクコントロールユニットは保存装置と接続され、保存装置の入出力のアクセス動作の中断信号を発生することを特徴とする、保存装置の保存情報の自動再生の構造としている。
請求項２０の発明は、請求項１９記載の保存装置の保存情報の自動再生の構造において、ディスクコントロールユニットの発生した中断信号を受け取るＣＰＵを更に具えたことを特徴とする、保存装置の保存情報の自動再生の構造としている。
請求項２１の発明は、請求項１８記載の保存装置の保存情報の自動再生の構造において、再生ユニットは第１オペレーションシステムの環境で実行可能で、第２オペレーションシステムはインタフェースユニットを通して該再生ユニットを実行でき、これにより保存装置の保存情報の再生動作を行なうことを特徴とする、保存装置の保存情報の自動再生の構造としている。
請求項２２の発明は、保存装置の保存情報の自動再生の方法において、該方法は、
第１オペレーションシステムと第２オペレーションシステムを提供するステップ、
保存装置に情報を保存するステップ、
インデックステーブルを第１オペレーションシステムのファイルシステム下に保存して少なくとも一つのデータ形式に対応する再生ユニットを記録するステップ、
検出ユニットを第２オペレーションシステムの環境下に提供し、該保存装置が提供する保存情報のデータ形式を該インデックステーブルと対比するステップ、
を具え、そのうち、第２オペレーションシステムが検出ユニットの対比結果によりインデックステーブルに記録された保存情報に対応する再生ユニットを実行し、再生動作を行なうことを特徴とする、保存装置の保存情報の自動再生の方法としている。
請求項２３の発明は、請求項２２記載の保存装置の保存情報の自動再生の方法において、保存装置に情報を提供するステップの後、該保存装置と接続されたディスクコントロールユニットを提供し、該保存装置の入出力のアクセス動作の中断信号を発生させるステップを具えたことを特徴とする、保存装置の保存情報の自動再生の方法としている。
請求項２４の発明は、請求項２３記載の保存装置の保存情報の自動再生の方法において、ディスクコントロールユニットに中断信号を発生させるステップの後、ＣＰＵを提供してディスクコントロールユニットの発生した中断信号を受け取らせるステップを具えたことを特徴とする、保存装置の保存情報の自動再生の方法としている。
請求項２５の発明は、請求項２２記載の保存装置の保存情報の自動再生の方法において、再生ユニットが第１オペレーションシステムの環境にインストールされている時、第２オペレーションシステムはインタフェースユニットを通して再生ユニットを実行して保存装置の保存情報の再生動作を行なうことを特徴とする、保存装置の保存情報の自動再生の方法としている。
【発明の効果】
【００１４】
総合すると、本発明は一種の保存装置の保存情報の自動再生の構造及びその方法に係る発明であり、それは比較的大きな保存空間内にインストールされた第１オペレーションシステムと、比較的小さい保存空間内にインストールされた第２オペレーションシステムを提示し、これにより第２オペレーションシステムの携帯性を高める。ユーザーが情報を保存装置内に提供すると、該保存装置のディスクコントローラーが中断命令をＣＰＵに下し、該ＣＰＵが再生処理命令を第２オペレーションシステムに下し、第２オペレーションシステムはインタフェースユニットにより第１オペレーションシステムの検出ユニットを第２オペレーションシステムが実行可能な形式に変換し、該検出ユニットが該保存情報のデータ形式をインデックステーブルに記録されたデータ形式と対比し、該保存情報に対応する再生ユニットを獲得し、該再生ユニットが第１オペレーションシステムの環境内にインストールされていれば、インタフェースユニットにより変換し、それを第２オペレーションシステムが実行可能な形式となし、保存装置の保存情報を再生する。そのうち、本発明は該保存装置の保存情報の内容を自動検出し、インデックステーブルに記録された保存情報のデータ形式と再生ユニットを利用し、再生動作を行い、これによりユーザーが保存装置の情報を再生する操作の煩瑣なステップを節約できる。このほか、本発明は第１オペレーションシステムのアプリケーションプログラムを共有し、これによりシステムリソース消耗の高い第１オペレーションシステム起動の待ち時間を減らすことができ、資源の共有を向上し、アプリケーションプログラムの重複インストールを防止し、保存空間を有効に節約する。ゆえに本発明は新規性、進歩性及び産業上の利用価値を有する発明である。
【発明を実施するための最良の形態】
【００１５】
本発明は一種の保存装置の保存情報の自動再生の構造及びその方法を提供し、それは第１オペレーションシステムと第２オペレーションシステムがインストールされたコンピュータシステムにあって、第２オペレーションシステムの環境下で実行され、ユーザーが情報を保存装置内に保存すると、該保存装置のディスクコントローラーが即時中断命令をＣＰＵに下し、該ＣＰＵがこの命令を受けた後、再生処理命令を第２オペレーションシステムに下し、検出ユニットが第２オペレーションシステムと第１オペレーションシステムのいずれか一方にインストールされ、該検出ユニットが第１オペレーションシステムの環境下で実行される時、第２オペレーションシステムはインタフェースユニットを通して第１オペレーションシステムと第２オペレーションシステムの間で変換する動作を実行し、これにより検出ユニットを第２オペレーションシステムで実行可能な形式とし、該検出ユニットにより保存情報のデータ形式とインデックステーブルに記録されたデータ形式を対比し、該保存情報に対応する再生ユニットを知り、再生ユニットが第１オペレーションシステムの環境内にインストールされていれば、該インタフェースユニットを通して変換して該再生ユニットを第２オペレーションシステムが実行可能な形式となし、こうして該保存装置の保存情報の再生動作を実行し、本発明の保存装置の保存情報の自動再生の目的を達成する。
【実施例１】
【００１６】
図１は本発明の実施例のインデックステーブル共有のブロック図である。本発明はシステムリソース消耗の高い第１オペレーションシステム２０とシステムリソース消耗の低い第２オペレーションシステム２５が共にインストールされたコンピュータシステムに適用される。インデックステーブル３０が第１オペレーションシステム２０のファイルシステムに提供されて、該インデックステーブル３０は少なくとも一つのデータ形式に対応する再生ユニットを記録している。そのうち、ユーザーが入力ユニット１０を通して起動命令をＣＰＵ１５に下して第２オペレーションシステム２５を起動すると、該第２オペレーションシステム２５は第１オペレーションシステム２０の該インデックステーブル３０の情報を共有できる。
【００１７】
上述のインデックステーブル３０は、ユーザーが少なくとも一つのアプリケーションプログラムをインストールする時、該アプリケーションプログラムが再生サポートするデータ形式を該インデックステーブル３０内に記録する。
【００１８】
該第１オペレーションシステム２０はＦＡＴ或いはＮＴＦＳのファイル形式とされ得て、それは比較的大きな保存空間内、例えばハードディスクとＲＯＭユニット装置内にインストールされる。そのうち、該ハードディスクは主要な保存装置とされ、該第１オペレーションシステム２０はＷｉｎｄｏｗｓ（登録商標）シリーズの第１オペレーションシステム２０が主とされ、例えば、Ｗｉｎｄｏｗｓ（登録商標）ＸＰ、Ｗｉｎｄｏｗｓ（登録商標）ＮＴ、Ｗｉｎｄｏｗｓ（登録商標）９８、Ｗｉｎｄｏｗｓ（登録商標）２０００、Ｗｉｎｄｏｗｓ（登録商標）Ｍｅとされる。
【００１９】
該第２オペレーションシステム２５はＥＸＴ２或いはＥＸＴ３のファイル形式とされ得て、それは比較的小さい保存空間内、例えばＲＯＭ装置とハードディスク、或いはＵＳＢインタフェースハードディスクのような外部保存装置にインストールされうる。そのうち、該ＵＳＢインタフェースハードディスクが主要な保存装置とされ、該ＵＳＢインタフェースハードディスクはコンパクトで携帯性が高いハードディスクであり、ＵＳＢスロットを具えたコンピュータであればいずれも該第２オペレーションシステム２５を使用でき、該第２オペレーションシステム２５としてはＬｉｎｕｘ（登録商標）が主要なものとされる。
【００２０】
該入力ユニット１０は無線リモートコントローラー或いはキーボードとされうる。
【００２１】
図２は本発明の実施例の第１オペレーションシステムリソース共有のブロック図である。図示されるように、ユーザーが入力ユニット１０を通して起動命令をＣＰＵ１５に下すと、基本入出力システムがコンピュータを起動し並びに第２オペレーションシステム２５２５に進入し、第２オペレーションシステム２５の環境下で保存情報の内容を検出し、再生を自動実行する。該ユーザーが情報を保存装置３５に提供する時、第２オペレーションシステム２５はインタフェースユニット５０を通して第１オペレーションシステム２０の検出ユニット４０を第２オペレーションシステム２５が実行可能な形式に変換し、該検出ユニット４０により保存装置３５の保存情報のデータ形式をインデックステーブル３０に記録されたものと対比し、その対比結果により、インデックステーブル３０内に記録された保存情報のデータ形式が対応する再生ユニット４５が第１オペレーションシステム２０の実行環境にある時、第２オペレーションシステム２５はインタフェースユニット５０を通して該再生ユニット４５を変換して、保存装置３５の保存情報を自動再生し、第１オペレーションシステム２０のソースを共有し、システムリソース消耗が高く保存空間が大きい第１オペレーションシステム２０の起動待機時間を減らし、アプリケーションプログラムの重複インストールを防止し保存空間を有効に節約する。
【００２２】
そのうち、コンピュータシステムは即時該保存装置３５の保存情報の内容を自動検出し、インデックステーブル３０が記録する保存情報内容のデータ形式に対応する再生ユニット４５に再生動作を行なわせ、これにより、ユーザーが該保存装置の保存情報を実行する煩瑣なステップを節約し、即ち保存装置３５の保存情報の自動再生の目的を達成する。
【００２３】
上述の保存装置３５は、ＩＤＥインタフェースの保存装置、ＳＣＳＩインタフェースの保存装置或いは関係保存装置、例えばＵＳＢインタフェースハードディスクとされうる。
【００２４】
該保存装置３５が保存する情報はオーディオデータ、ビデオデータ、テキストデータ、或いは関係情報、例えばイメージデータとされうる。
【００２５】
該インタフェースユニット５０は、該検出ユニット４０と該再生ユニット４５の、第１オペレーションシステム２０と第２オペレーションシステム２５における変換動作を提供し、検出ユニット４０と再生ユニット４５を第２オペレーションシステム２５の実行可能な形式に変換する。
【００２６】
図３に示されるのは、本発明の好ましい実施例のＰＣバス構造図である。図示されるように、ＣＰＵ１５は少なくとも一つのディスクコントロールユニットに接続され、該ディスクコントロールユニットはブリッジ／メモリコントローラー１５１、ＰＣＩバス１５２、ＩＤＥコントローラー１５３、ＳＣＳＩコントローラー１５４、及びＵＳＢコントローラー１５５とされうる。そのうち、該ＩＤＥコントローラー１５３、該ＳＣＳＩコントローラー１５４及びＵＳＢコントローラー１５５は少なくとも一つのレジスタ装置を提供し、ユーザーが情報をＩＤＥコントローラー１５３下の該保存装置３５に提供する時、該ＩＤＥコントローラー１５３は該保存装置３５のデータを該ＩＤＥコントローラー１５３のレジスタ装置に読み取るか或いは保存装置３５のデータを該ブリッジ／メモリコントローラー１５１のレジスタ装置に送るか、或いは保存装置３５のデータを該ブリッジ／メモリコントローラー１５１の提供するメモリユニット１５１１に送り、並びに中断信号をＣＰＵに下し、該ＣＰＵは該中断信号を受け取ると、検出ユニット４０によりＩＤＥコントローラー１５３のレジスタ装置或いはメモリユニット１５１１の情報のデータ形式を自動検出し、インデックステーブル３０に記録された対応する再生ユニット４５に保存装置３５の保存情報を自動再生させる。そのうち、ＳＣＳＩコントローラー１５４及びＵＳＢコントローラー１５５の実行ステップは、ＩＤＥコントローラー１５３が実行するステップより類推可能である。
【００２７】
図４は本発明の好ましい実施例の保存装置の保存情報の自動再生のブロック図である。図示されるように、検出ユニット４０’とインデックステーブル３０が記録する保存装置３５の保存情報のデータ形式が対応する再生ユニット４５’は第２オペレーションシステム２５内にインストールされ、該第２オペレーションシステム２５は、検出ユニット４０’が提供する保存装置３５の提供する情報のデータ形式と該インデックステーブル３０の対比結果を読み取り、該インデックステーブル３０に記録された再生ユニット４５’を実行して該保存装置３５の保存情報を再生する。
【００２８】
図５は本発明の実施例のインデックステーブル表示図である。図示されるように、該インデックステーブル３０はデータ形式フィールド３０１、再生ユニットの名称フィールド３０２、及び再生ユニットの保存位置フィールド３５３を包含する。ユーザーが情報を該保存装置３５に提供する時、該検出ユニット４０が該インデックステーブル３０のデータ形式フィールド３０１と該保存情報のデータ形式を比較し、対応する再生ユニットの名称フィールド３０２のデータを獲得し、該インデックステーブル３０の再生ユニットの保存位置フィールド３０３の再生プログラムを実行し、該保存装置３５の保存情報を再生する。例えば、ユーザーがオーディオデータを該保存装置３５に提供すると、該検出ユニット４０は該オーディオデータと該インデックステーブル３０の対応するデータ形式フィールド３０１の対比動作を行い、これにより該オーディオデータに対応するオーディオ再生プログラム名称を獲得した後、オーディオ再生プログラムの保存位置の提供により、該オーディオ再生プログラムを実行し、該オーディオデータの再生動作を行なう。ユーザーがその他のデジタル情報を提供する時、対比動作はこのオーディオデータの如しである。
【００２９】
図６は本発明の別の実施例の編集ユニットのブロック図である。図示されるように、ユーザーが入力ユニット１０により起動命令をＣＰＵ１５に下し、第２オペレーションシステム２５を起動すると、該第２オペレーションシステム２５は第１オペレーションシステム２０の該インデックステーブル３０情報を共有し、ユーザーが該インデックステーブル３０内に記録されたデータ形式に対応する再生ユニット４５を更新したい時は、該第２オペレーションシステム２５は該インタフェースユニット５０により編集ユニット５５を第２オペレーションシステム２５が実行できる形式に変換し、ユーザーはこれにより編集ユニット５５を使用してインデックステーブル３０に記録されたデータ形式に対応する再生ユニット４５を更新できる。
【００３０】
図７に示されるのは本発明の好ましい実施例のフローチャートである。図示されるように、本発明の保存装置の保存情報の自動再生の構造及びその方法は以下のようなステップを有する。
ステップＳ１：  コンピュータを起動し、システムリソース消耗の低い第２オペレーションシステムに進入する。
ステップＳ２：  情報を保存装置に提供する。
ステップＳ３：  保存装置に接続されたディスクコントローラーにより中断信号をＣＰＵに下す。
ステップＳ４：  命令を受けた後、ＣＰＵが即刻第２オペレーションシステムに再生処理の実行を要求する。
ステップＳ５：  第２オペレーションシステムがインタフェースユニットにより第１オペレーションシステムの検出ユニットを実行する。
ステップＳ６：  保存装置の保存情報のデータ形式をインデックステーブルと対比する。
ステップＳ７：  対比結果により、第２オペレーションシステムがインタフェースユニットによりインデックステーブルに記録された保存装置の保存情報に対応する再生ユニットを実行する。
ステップＳ８：  保存装置の保存情報を再生する。
ステップＳ９：  再生完成後、インタフェースユニットにより検出ユニットと再生ユニットの関係パラメータを変換するか第１オペレーションシステムが実行可能なパラメータ値に戻す。
【００３１】
以上の実施例は本発明の範囲を限定するものではなく、以上の説明及び図面の記載に基づきなしうる細部の修飾或いは改変は、いずれも本発明の請求範囲に属するものとする。
【図面の簡単な説明】
【００３２】
【図１】本発明の実施例のインデックステーブル共有のブロック図である。
【図２】本発明の実施例の第１オペレーションシステムリソース共有のブロック図である。
【図３】本発明の好ましい実施例のＰＣバス構造図である。
【図４】本発明の好ましい実施例の保存装置の保存情報の自動再生のブロック図である。
【図５】本発明の実施例のインデックステーブル表示図である。
【図６】本発明の別の実施例の編集ユニットのブロック図である。
【図７】本発明の好ましい実施例のフローチャートである。
【符号の説明】
【００３３】
１０  入力ユニット
１５  ＣＰＵ
１５１  ブリッジ／メモリコントローラー
１５１１  メモリユニット
１５２  ＰＣＩバス
１５３  ＩＤＥコントローラー
１５４  ＳＣＳＩコントローラー
１５５  ＵＳＢコントローラー
２０  第１オペレーションシステム
２５  第２オペレーションシステム
３０  インデックステーブル
３０１  データ形式フィールド
３０２  再生ユニット名称フィールド
３０３  再生ユニット保存位置フィールド
３５  保存装置
４０  検出ユニット
４０’検出ユニット
４５  再生ユニット
４５’再生ユニット
５０  インタフェースユニット
５５  編集ユニット
【図１】
2005339539.tif 000003
【図２】
2005339539.tif 000004
【図３】
2005339539.tif 000005
【図４】
2005339539.tif 000006
【図５】
2005339539.tif 000007
【図６】
2005339539.tif 000008
【図７】
2005339539.tif 000009